(57)【要約】【課題】耳掛け部の擦れによる痛みをより確実に軽減することができる補助具を提供する。【解決手段】着用者の顔面の対象部位を覆う本体部１２と、前記本体部１２に設けられ前記着用者の耳に掛ける耳掛け部１４とを有する装着具１０の、前記耳掛け部１４に着脱自在に設けられる補助具１６Ａにおいて、筒状部と、前記筒状部の長さ方向に全長にわたって形成された開閉部１９Ａとを備えることを特徴とする。【選択図】図１
2015062450.tif 000002
【特許請求の範囲】
【請求項１】
着用者の顔面の対象部位を覆う本体部と、前記本体部に設けられ前記着用者の耳に掛ける耳掛け部とを有する装着具の、前記耳掛け部に着脱自在に設けられる補助具において、
筒状部と、
前記筒状部の長さ方向に全長にわたって形成された開閉部と
を備えることを特徴とする補助具。
【請求項２】
前記開閉部を挟んで向かい合う前記筒状部の端部同士が、前記筒状部の厚さ方向に重なった重複部を有することを特徴とする請求項１記載の補助具。
【請求項３】
前記重複部は、前記筒状部の長さ方向の一部に形成されていることを特徴とする請求項２記載の補助具。
【請求項４】
前記重複部における前記端部同士の間に、前記端部同士を着脱自在に固定する貼り付け部を設けたことを特徴とする請求項２又は３記載の補助具。
【請求項５】
前記筒状部の表面がポリテトラフルオロエチレンで形成されていることを特徴とする請求項１〜４のいずれか１項に記載の補助具。
【発明の詳細な説明】
【技術分野】
【０００１】
本発明は、補助具に関し、特にマスクなどの装着具の耳掛け部に取り付けられる補助具に関する。
【背景技術】
【０００２】
耳掛け部を有する装着具として、例えば使い捨てマスクや眼鏡は、着用者が耳掛け部を両耳にそれぞれ掛けた状態で日常生活において使用される。したがって使い捨てマスクや眼鏡などの装着具は、着用者に装着される時間が長い。特にマスクは感染を予防する上で重要である。着用者が患者である場合、マスクの着用時間はさらに長くなる。
【０００３】
マスクの耳掛け部は、通常、紐状の部材で形成されている。そのため、着用時間が長くなるに伴い、着用者の両耳の後ろ側が耳掛け部によって擦られる機会が増える。そうすると、着用者は、両耳の後ろ側に痛みを感じる場合もあり、マスクを装着することが苦痛になってしまう。
【０００４】
このような問題に対し、マスクの着用に伴って生じる痛みを和らげるための補助具が、種々開示されている（例えば、特許文献１）。上記特許文献１に記載の補助具は、着用者の耳に掛ける形状の主体部と、その背側に設けた溝と、着用者に接触する部分に設けられた緩衝材とを有する。上記特許文献１によれば、マスクの耳掛け部による擦れを解消し耳の接合部の上部及び後部、耳タブ部の痛みを防ぐことができる、と記載されている。
【先行技術文献】
【特許文献】
【０００５】
【特許文献１】特開2006-223792号公報
【発明の概要】
【発明が解決しようとする課題】
【０００６】
しかしながら、上記特許文献１の場合、マスクを着用している間に補助具が回転すると、緩衝材ではなく溝が着用者に接触してしまう場合がある。そうすると着用時間が長くなるに伴い、溝が着用者に接触する時間が増え、さらに耳掛け部が補助具から脱落してしまう可能性がある。したがって上記特許文献１に係る補助具では、擦れによる痛みを軽減できない、または溝が接触することにより別の痛みが生じる場合があるという問題がある。
【０００７】
そこで本発明は、耳掛け部の擦れによる痛みをより確実に軽減することができる補助具を提供することを目的とする。
【課題を解決するための手段】
【０００８】
本発明に係る補助具は、着用者の顔面の対象部位を覆う本体部と、前記本体部に設けられ前記着用者の耳に掛ける耳掛け部とを有する装着具の、前記耳掛け部に着脱自在に設けられる補助具において、筒状部と、前記筒状部の長さ方向に全長にわたって形成された開閉部とを備えることを特徴とする。
【発明の効果】
【０００９】
本発明によれば、開閉部を設けたことにより、着用時に筒状部が回転した場合でも、常に補助具の表面が着用者に接触する。したがって補助具は、耳掛け部の擦れによって着用者に与える痛みをより確実に軽減することができる。
【図面の簡単な説明】
【００１０】
【図１】第１実施形態に係る補助具の使用状態を示す斜視図である。
【図２】第１実施形態に係る補助具の全体構成を示す斜視図である。
【図３】第１実施形態に係る補助具の構成を示す側面図である。
【図４】第２実施形態に係る補助具の全体構成を示す斜視図である。
【図５】第２実施形態に係る補助具を形成するシートの構成を示す平面図である。
【発明を実施するための形態】
【００１１】
以下、図面を参照して本発明の実施形態について詳細に説明する。
【００１２】
１．第１実施形態
（全体構成）
第１実施形態に係る補助具について説明する。図１に示す装着具としてのマスク１０は、本体部１２と、本体部１２に設けられた一対の耳掛け部１４とを備える。本体部１２は、図示しないが、着用者の顔面の対象部位、この場合、鼻、口及び顎を覆ように形成されている。本体部１２は特に限定されないが、本図ではいわゆるプリーツ型の本体部１２を例示している。この場合、本体部１２は、上下方向に広がることが可能な複数のプリーツ１３が、側部の上下方向に形成されている。本体部１２は、着用時にプリーツ１３が広がることにより、着用者の顔面の対象部位を覆う。
【００１３】
耳掛け部１４は、通常、弾力性を有する紐状の部材で形成されており、両端１５が本体部１２の側部１７の上端部及び下端部にそれぞれ固定されている。本実施形態に係る補助具１６Ａは、耳掛け部１４の一部を覆うように、着脱自在に取り付けられる。
【００１４】
補助具１６Ａは、図２に示すように、筒状部１８Ａと、筒状部１８Ａの長さ方向に全長にわたって形成された開閉部１９Ａとを備える。筒状部１８Ａは、内径が耳掛け部１４の外径より大きくなるように形成されている。筒状部１８Ａの大きさは適宜選択可能である。開閉部１９Ａは、筒状部１８Ａを長さ方向の全長にわたって厚さ方向に切断して形成されている。
【００１５】
筒状部１８Ａは、耳掛け部１４より摩擦抵抗が小さく、肌触りの良い材料、例えばフッ素樹脂で形成されるのが好ましい。フッ素樹脂として、より好ましくはポリテトラフルオロエチレンを用いることができる。筒状部１８Ａは多孔質部材、または不織布で形成することができる。
【００１６】
多孔質部材としては、延伸多孔性シート、延伸多孔性チューブを用いることができる。多孔質部材の場合、空孔率が５０％〜９０％であることが好ましい。空孔率が５０％未満の場合、弾性変形し難くなる。また、空孔率が９０％以上の場合、形状を保ちにくく、機械的強度が低下する。筒状部１８Ａは、例えば、長さ７ｃｍ〜１４ｃｍ、幅１ｃｍ〜２ｃｍ、厚さ０．５ｍｍ〜２．０ｍｍの大きさのシート状の部材を筒状に成形することにより形成してもよい。
【００１７】
不織布の場合、繊維径が２０μｍ以下に調整した繊維を、１００ｇ／ｍ２〜２５０ｇ／ｍ２の目付で積層して、長さ７ｃｍ〜１４ｃｍ、幅１ｃｍ〜２ｃｍ、厚さ０．５ｍｍ〜２．０ｍｍの大きさのシート状の部材を形成するのが好ましい。繊維径が３０μｍ程度になると繊維が硬くなってしまうので適切ではない。
【００１８】
図３に示すように、開閉部１９Ａにおいて、筒状部１８Ａの端部２０，２２同士が、筒状部１８Ａの厚さ方向に重なった重複部２４Ａが形成されている。重複部２４Ａは、筒状部１８Ａの一方の端部２０が筒状部１８Ａの外側に、他方の端部２２が内側に配置されることにより形成される。端部２０，２２同士の重なりしろは、適宜選択することができ、例えば、０．５ｍｍ〜２．０ｍｍ程度にすることができる。
【００１９】
（作用及び効果）
上記のように構成された補助具１６Ａの作用及び効果について説明する。まず補助具１６Ａの開閉部１９Ａにおいて端部２０，２２同士を筒状部１８Ａの円周方向に開く。次いで、耳掛け部１４を筒状部１８Ａで覆う。その後、開閉部１９Ａの端部２０，２２同士を閉じる。このようにして補助具１６Ａを耳掛け部１４に取り付けることができる（図１）。
【００２０】
耳掛け部１４に補助具１６Ａが設けられたマスク１０は、耳掛け部１４よりも肌触りのよい材料で形成されているため、耳掛け部１４の擦れによって着用者に与える痛みを軽減することができる。しかも本実施形態に係る補助具１６Ａは、重複部２４Ａが形成されていることにより、耳掛け部１４を円周方向に完全に覆うことができる。これにより補助具１６Ａは、着用時に筒状部１８Ａが回転した場合でも、常に補助具１６Ａの表面が着用者に接触する。したがって補助具１６Ａは、耳掛け部１４の擦れによって着用者に与える痛みをより確実に軽減することができる。
【００２１】
重複部２４Ａは、筒状部１８Ａの一方の端部２０が筒状部１８Ａの外側に配置されているので、一方の端部２０に指がかかりやすい。これにより筒状部１８Ａの端部２０，２２同士を筒状部１８Ａの円周方向に容易に開くことができる。したがって本実施形態に係る補助具１６Ａは、筒状部１８Ａを耳掛け部１４に容易に取り付けたり、取り外したりすることができる。
【００２２】
筒状部１８Ａをポリテトラフルオロエチレンで形成することにより、着用者の汗や皮脂等が筒状部１８Ａに浸透することを防ぐことができる。したがって補助具１６Ａは、簡単な手入れで清潔な状態を保つことができると共に、経年使用による品質の劣化を防止することもできる。
【００２３】
２．第２実施形態
第２実施形態に係る補助具について説明する。上記第１実施形態と同様の構成には同様の符号を付し、説明を省略する。
【００２４】
図４に示す補助具１６Ｂは、筒状部１８Ｂと開閉部１９Ｂとを有し、長さ方向の略中央にのみ重複部２４Ｂが形成されている。これにより、筒状部１８Ｂの長さ方向の両端部分には、筒状部１８Ｂの端部３２，３４同士の間に隙間３６が形成されている。
【００２５】
筒状部１８Ｂは、図５に示すシート３５から形成することができる。当該シート３５は、端部３２，３４の長さ方向の略中央に凸部３０がそれぞれ形成されている。本図の場合、凸部３０は半円形状に形成されている。このシート３５を長さ方向を中心として丸め、筒状部１８Ｂを形成する。そうすると、凸部３０同士が筒状部１８Ｂの厚さ方向に重なり、重複部２４Ｂが形成される。
【００２６】
上記のように構成された補助具１６Ｂは、重複部２４Ｂが形成されているので、上記第１実施形態と同様の効果を得ることができる。
【００２７】
さらに本実施形態に係る補助具１６Ｂは、筒状部１８Ｂの長さ方向の両端部分に隙間３６が形成されている。この隙間３６があることにより端部３２，３４に指がかかりやすい。そうすると筒状部１８Ｂの端部３２，３４同士を筒状部１８Ｂの円周方向に容易に開くことができる。したがって本実施形態に係る補助具１６Ｂは、筒状部１８Ｂをより容易に耳掛け部１４に取り付けたり、取り外したりすることができる。
【００２８】
（変形例）
本実施形態の場合、凸部３０は筒状部１８Ｂの長さ方向の略中央に形成する場合について説明したが、本発明はこれに限らず、筒状部１８Ｂの長さ方向の両端部分に形成してもよい。この場合、筒状部１８Ｂの長さ方向の略中央には、端部３２，３４同士の間に隙間（図示しない）が形成される。
【００２９】
また凸部３０は筒状部１８Ｂの端部３２，３４にそれぞれ形成する場合について説明したが、本発明はこれに限らず、端部３２，３４のいずれか一方にのみ形成することとしてもよい。
【００３０】
凸部３０は、半円形状に形成する場合について説明したが、本発明はこれに限らず、矩形状や、多角形状、楕円形状に形成してもよい。
【００３１】
筒状部１８Ｂの長さ方向の両端部分において、端部３２，３４同士の間に隙間３６が形成されている場合について説明したが、本発明はこれに限らず、端部３２，３４同士が隙間なく接触するように形成してもよい。
【００３２】
３．変形例
本発明は上記実施形態に限定されるものではなく、本発明の趣旨の範囲内で適宜変更することが可能である。
【００３３】
例えば、重複部２４において、端部２０，２２、３２，３４同士の厚さ方向の間に貼り付け部（図示しない）を設けることとしてもよい。この場合の貼り付け部は、端部２０，２２、３２，３４同士を筒状部１８の厚さ方向に着脱自在に固定するように形成される。これにより、筒状部１８が開閉部１９において不用意に開くことを防止することができる。貼り付け部は、筒状部１８の長さ方向の全部又は一部に設けることができる。
【００３４】
上記実施形態の場合、装着具はマスク１０である場合について説明したが、本発明はこれに限らず、眼鏡でもよい。眼鏡は、図示しないが、レンズを保持した本体部１２としてのフレームと、一端においてヒンジを介して前記フレームに連結されたテンプルと、前記テンプルの他端に設けられた耳掛け部とを有する。補助具１６は、前記耳掛け部を覆うように取り付けられる。
【００３５】
上記実施形態の場合、開閉部１９は、端部２０，２２、３２，３４同士が厚さ方向に重なり重複部２４が形成されている場合について説明したが、本発明はこれに限らず、端部２０，２２、３２，３４同士が隙間なく接触するように形成してもよい。
【符号の説明】
【００３６】
１０  マスク（装着具）
１２  本体部
１４  耳掛け部
１６Ａ、１６Ｂ  補助具
１８Ａ、１８Ｂ  筒状部
１９Ａ、１９Ｂ  開閉部
【図１】
2015062450.tif 000003
【図２】
2015062450.tif 000004
【図３】
2015062450.tif 000005
【図４】
2015062450.tif 000006
【図５】
2015062450.tif 000007